(57)【要約】【課題】電極線の断線によるフローティング部の発生を抑えることのできるタッチセンサ用電極、タッチパネル、および、表示装置を提供する。【解決手段】複数のドライブ電極３１ＤＰの少なくとも一部が備える電極線群は、屈曲線形状を有した複数のドライブ主線３１ＭＬと、２以上のドライブ主線３１ＭＬを繋ぐ１以上のドライブ副線３１ＳＬとを含むドライブ電極線群３１ＤＧであり、透明誘電体層の第１面と対向する方向から見て、ドライブ主線３１ＭＬとセンシング主線３３ＭＬとが交差し、ドライブ電極線群３１ＤＧにてドライブ主線３１ＭＬが有する複数の屈曲部３１Ｑの少なくとも一部は、センシング主線３３ＭＬ間の隙間ＣＳと対向する。【選択図】図９
2016126730.tif 000002
【特許請求の範囲】
【請求項１】
第１面と、前記第１面とは反対側の面である第２面とを有する透明誘電体層と、
前記透明誘電体層の前記第１面にて、第１方向に沿って延び、前記第１方向と交差する方向である第２方向に沿って並ぶ複数の第１電極と、
前記透明誘電体層の前記第２面にて、前記第２方向に沿って延び、前記第１方向に沿って並ぶ複数の第２電極と、
を備え、
前記複数の第１電極の各々は、前記第２方向に沿って隙間をあけて並ぶ複数の第１主線を含む電極線群から構成され、
前記複数の第２電極の各々は、前記第１方向に沿って隙間をあけて並ぶ複数の第２主線を含む電極線群から構成され、
前記複数の第１電極の少なくとも一部が備える前記電極線群は、屈曲線形状を有した複数の前記第１主線と、２以上の前記第１主線を繋ぐ１以上の第１副線とを含む第１電極線群であり、
前記透明誘電体層の前記第１面と対向する方向から見て、
前記第１主線と前記第２主線とが交差し、前記第１電極線群にて前記第１主線が有する複数の屈曲部の少なくとも一部は、前記第２主線間の隙間と対向する
タッチセンサ用電極。
【請求項２】
前記第１電極線群において、前記第１副線は、前記第２方向とは異なる方向に延びて、前記第２方向に沿って連続して並ぶ２以上の前記第１主線を繋ぐ
請求項１に記載のタッチセンサ用電極。
【請求項３】
前記第１電極線群において、前記第１主線は、直線形状を有する複数の短線部が前記屈曲部を介して連なる折れ線形状を有し、前記第１副線は、１つの前記第１主線における前記短線部の一端から当該短線部の延びる方向に沿って延びて、複数の前記第１主線を繋ぐ
請求項１または２に記載のタッチセンサ用電極。
【請求項４】
前記第１電極線群において、前記第１副線の線幅は、前記第１主線の線幅と等しい
請求項１〜３のいずれか一項に記載のタッチセンサ用電極。
【請求項５】
前記第１電極線群において、前記第１副線の線幅は、前記第１主線の線幅よりも小さい
請求項１〜３のいずれか一項に記載のタッチセンサ用電極。
【請求項６】
前記第１電極線群において、前記第１副線の線幅は、前記第１主線の線幅よりも大きい
請求項１〜３のいずれか一項に記載のタッチセンサ用電極。
【請求項７】
前記第１電極線群には、複数の前記第１副線が含まれ、
前記複数の第１副線は、前記複数の第１電極が配置された領域内にて不規則に配置されている
請求項１〜６のいずれか一項に記載のタッチセンサ用電極。
【請求項８】
前記第１電極線群には、複数の前記第１副線が含まれ、
前記複数の第１副線は、前記複数の第１電極が配置された領域内にて規則的に配置されている
請求項１〜６のいずれか一項に記載のタッチセンサ用電極。
【請求項９】
前記第１電極線群を備える１つの前記第１電極において、
互いに隣り合う２つの前記第１主線が主線組を構成し、前記主線組において前記２つの第１主線を繋ぐ前記第１副線の数は１つであり、
前記第１電極線群は、複数の前記主線組を有し、前記第１電極線群に含まれる前記複数の第１主線の各々は、いずれかの前記第１副線に接続されている
請求項１〜８のいずれか一項に記載のタッチセンサ用電極。
【請求項１０】
前記透明誘電体層の前記第１面と対向する方向から見て、
前記第１電極線群を備える前記第１電極と前記第２電極とが重なる領域において、互いに隣り合う２つの前記第１主線が主線組を構成し、前記主線組において前記２つの第１主線を繋ぐ前記第１副線の数は１つであり、
前記領域には複数の前記主線組が配置され、前記領域に配置されている前記複数の第１主線の各々は、前記領域内にていずれかの前記第１副線に接続されている
請求項１〜８のいずれか一項に記載のタッチセンサ用電極。
【請求項１１】
相互に隣り合う２つの前記第１電極の境界領域を区画する相互に隣り合う２つの前記第１主線の間に、前記第１副線と同形の電極線であるダミー線が配置され、前記ダミー線は、前記２つの第１主線の少なくとも一方と絶縁されている
請求項１〜１０のいずれか一項に記載のタッチセンサ用電極。
【請求項１２】
複数の第１電極と、複数の第２電極と、複数の前記第１電極と複数の前記第２電極との間に挟まれる透明誘電体層と、を備えるタッチセンサ用電極と、
前記タッチセンサ用電極を覆うカバー層と、
前記第１電極と前記第２電極との間の静電容量を測定する周辺回路と、を備え、
前記タッチセンサ用電極は、
請求項１〜１１のいずれか一項に記載のタッチセンサ用電極である
タッチパネル。
【請求項１３】
情報を表示する表示パネルと、
前記表示パネルの表示する前記情報を透過するタッチパネルと、
前記タッチパネルの駆動を制御する制御部と、を備え、
前記タッチパネルは、請求項１２に記載のタッチパネルである
表示装置。
【発明の詳細な説明】
【技術分野】
【０００１】
本発明は、複数の電極の各々が複数の電極線を備えるタッチセンサ用電極、タッチパネル、および、表示装置に関する。
【背景技術】
【０００２】
電子機器の入力デバイスとしてタッチパネルが広く用いられている。タッチパネルは、第１面と第２面とを有した透明誘電体層を備え、透明誘電体層の第１面には、Ｘ方向に沿って延びる複数の第１電極が位置し、透明誘電体層の第２面には、Ｘ方向に対して直交するＹ方向に沿って延びる複数の第２電極が位置している。そして、１つの第１電極と複数の第２電極の各々との間における静電容量の変化が第１電極ごとに検出されて、タッチパネルの操作面における指などの接触位置が検出される。
【０００３】
こうしたタッチパネルの一例では、複数の第１電極の各々は、Ｘ方向に沿って延びる複数の電極線から構成され、複数の第２電極の各々は、Ｙ方向に沿って延びる複数の電極線から構成される。電極線としては、銀や銅などの金属からなる細線が用いられる（例えば、特許文献１参照）。
【先行技術文献】
【特許文献】
【０００４】
【特許文献１】特開２０１３−１５６７２５号公報
【発明の概要】
【発明が解決しようとする課題】
【０００５】
ところで、１つの電極を構成する複数の電極線の各々の一端は、その電極を構成する他の電極線の一端に接続され、また、複数の電極線の各々の他端は、その電極を構成する他の電極線の他端に接続されている。複数の電極線がこうした並列回路を構成することによって、複数の電極線は１つの電極として機能している。この際に、１つの電極線のうちの２箇所で断線が生じると、この電極線にて断線箇所に挟まれた部分は、周囲から絶縁されたフローティング部となり、フローティング部の発生は、接触位置の検出精度の低下を引き起こす。
【０００６】
本発明は、電極線の断線によるフローティング部の発生を抑えることのできるタッチセンサ用電極、タッチパネル、および、表示装置を提供することを目的とする。
【課題を解決するための手段】
【０００７】
上記課題を解決するタッチセンサ用電極は、第１面と、前記第１面とは反対側の面である第２面とを有する透明誘電体層と、前記透明誘電体層の前記第１面にて、第１方向に沿って延び、前記第１方向と交差する方向である第２方向に沿って並ぶ複数の第１電極と、前記透明誘電体層の前記第２面にて、前記第２方向に沿って延び、前記第１方向に沿って並ぶ複数の第２電極と、を備え、前記複数の第１電極の各々は、前記第２方向に沿って隙間をあけて並ぶ複数の第１主線を含む電極線群から構成され、前記複数の第２電極の各々は、前記第１方向に沿って隙間をあけて並ぶ複数の第２主線を含む電極線群から構成され、前記複数の第１電極の少なくとも一部が備える前記電極線群は、屈曲線形状を有した複数の前記第１主線と、２以上の前記第１主線を繋ぐ１以上の第１副線とを含む第１電極線群であり、前記透明誘電体層の前記第１面と対向する方向から見て、前記第１主線と前記第２主線とが交差し、前記第１電極線群にて前記第１主線が有する複数の屈曲部の少なくとも一部は、前記第２主線間の隙間と対向する。
【０００８】
上記課題を解決するタッチパネルは、複数の第１電極と、複数の第２電極と、複数の前記第１電極と複数の前記第２電極との間に挟まれる透明誘電体層と、を備えるタッチセンサ用電極と、前記タッチセンサ用電極を覆うカバー層と、前記第１電極と前記第２電極との間の静電容量を測定する周辺回路と、を備え、前記タッチセンサ用電極は、上記タッチセンサ用電極である。
【０００９】
上記課題を解決する表示装置は、情報を表示する表示パネルと、前記表示パネルの表示する前記情報を透過するタッチパネルと、前記タッチパネルの駆動を制御する制御部と、を備え、前記タッチパネルは、上記タッチパネルである。
【００１０】
上記構成によれば、第１電極線群から構成される第１電極においては、第１副線と繋がっている第１主線にて、第１副線との接続箇所を挟む２箇所で断線が生じたとしても、断線箇所に挟まれた部分の電極線は、第１副線によって他の第１主線と繋がっているため、周囲から絶縁された状態とはならない。したがって、第１副線が全く設けられていない構成と比較して、電極線の断線によるフローティング部の発生が抑えられる。また、第１主線が屈曲線形状を有しているため、第１電極によって形成される電極パターンの規則性が低下して、タッチセンサ用電極を備えるタッチパネルが表示パネルと重ねられたときに、干渉縞が発生することが抑えられる。このように、上記構成によれば、干渉縞の発生を抑えることの可能な電極パターンにて電極線の断線によるフローティング部の発生が抑えられる。
【００１１】
上記構成では、前記第１電極線群において、前記第１副線は、前記第２方向とは異なる方向に延びて、前記第２方向に沿って連続して並ぶ２以上の前記第１主線を繋ぐことが好ましい。
【００１２】
上記構成によれば、第１副線の延びる方向が第１電極の延びる方向や第２電極の延びる方向と異なる。そのため、第１副線の延びる方向が第２電極の延びる方向と一致する構成と比べて、第１主線に対して第１副線が新たに加わることに起因して干渉縞が新たに発生することが抑制される。
【００１３】
上記構成では、前記第１電極線群において、前記第１主線は、直線形状を有する複数の短線部が前記屈曲部を介して連なる折れ線形状を有し、前記第１副線は、１つの前記第１主線における前記短線部の一端から当該短線部の延びる方向に沿って延びて、複数の前記第１主線を繋ぐことが好ましい。
【００１４】
第１副線が短線部の延長線上に配置されない構成では、１つの第１副線とこの第１副線が繋ぐ２つの第１主線とによって４つの角部が形成される。これに対して、上記構成によれば、第１副線が短線部の延長線上に配置されるため、１つの第１副線とこの第１副線が繋ぐ２つの第１主線とによって３つの角部が形成される。角部は、通常、丸みを帯びやすく、その結果、角部の周囲では、角部以外の部分と比較して電極線が太くなりやすい。この点において、上記構成であれば、形成される角部の数が少ないため、第１電極において電極線の太くなる箇所を少なくすることができる。また、第１副線の延びる方向が、短線部の延びる方向と一致しているため、第１副線が、第１主線から構成されるパターンに、電極線の延びる方向について新たな成分を追加することが抑えられる。その結果、第１副線に起因した干渉縞の発生が抑制される。
【００１５】
上記構成では、前記第１電極線群において、前記第１副線の線幅は、前記第１主線の線幅と等しくてもよい。
上記構成によれば、第１電極線群の形成が容易となる。
上記構成では、前記第１電極線群において、前記第１副線の線幅は、前記第１主線の線幅よりも小さくてもよい。
【００１６】
上記構成によれば、第１副線の線幅が第１主線の線幅以上である構成と比較して、透明誘電体層の第１面と対向する方向から見て第１副線が目立たなくなるため、タッチセンサ用電極を備えるタッチパネルや表示装置において、情報の視認性が向上する。
上記構成では、前記第１電極線群において、前記第１副線の線幅は、前記第１主線の線幅よりも大きくてもよい。
上記構成によれば、第１副線の断線が生じ難くなるため、第１副線によるフローティング部の発生の抑制が的確に実現される。
【００１７】
上記構成では、前記第１電極線群には、複数の前記第１副線が含まれ、前記複数の第１副線は、前記複数の第１電極が配置された領域内にて不規則に配置されていてもよい。
上記構成によれば、第１副線が規則的に配置されている構成と比較して、第１電極によって形成される電極パターンの規則性がより低下するため、干渉縞が発生することがさらに抑えられる。
【００１８】
上記構成では、前記第１電極線群には、複数の前記第１副線が含まれ、前記複数の第１副線は、前記複数の第１電極が配置された領域内にて規則的に配置されていてもよい。
【００１９】
上記構成によれば、複数の第１電極が配置された領域内にて光の透過量に偏りが生じることが抑えられ、タッチセンサ用電極を備えるタッチパネルの外観についての均質性が高められる。
【００２０】
上記構成では、前記第１電極線群を備える１つの前記第１電極において、互いに隣り合う２つの前記第１主線が主線組を構成し、前記主線組において前記２つの第１主線を繋ぐ前記第１副線の数は１つであり、前記第１電極線群は、複数の前記主線組を有し、前記第１電極線群に含まれる前記複数の第１主線の各々は、いずれかの前記第１副線に接続されていてもよい。
【００２１】
上記構成によれば、１つの第１電極に第１副線と繋がっていない第１主線が含まれる場合と比較して、フローティング部の発生が的確に抑えられる。また、１つの容量検出部を構成する部分にて、複数の第１主線の各々が各別の１つの第１副線に接続されている構成と比較して、第１副線の数が少なくなるため、タッチセンサ用電極を備えるタッチパネルや表示装置において、情報の視認性が向上する。
【００２２】
上記構成では、前記透明誘電体層の前記第１面と対向する方向から見て、前記第１電極線群を備える前記第１電極と前記第２電極とが重なる領域において、互いに隣り合う２つの前記第１主線が主線組を構成し、前記主線組において前記２つの第１主線を繋ぐ前記第１副線の数は１つであり、前記領域には複数の前記主線組が配置され、前記領域に配置されている前記複数の第１主線の各々は、前記領域内にていずれかの前記第１副線に接続されていてもよい。
【００２３】
透明誘電体層の第１面と対向する方向から見て、第１電極と第２電極とが重なる領域は、１つの容量検出部を構成する。上記構成によれば、各第１主線のなかで容量検出部に含まれる部分の全体がフローティング部となることが抑えられるため、容量検出部ごとの単位で接触位置の検出精度の低下が抑えられる。また、１つの容量検出部において、各第１主線が複数の第１副線と繋がっている構成と比較して、第１副線の数が必要以上に多くなることが抑えられるため、タッチセンサ用電極を備えるタッチパネルや表示装置において、情報の視認性の低下が抑えられる。
【００２４】
上記構成において、相互に隣り合う２つの前記第１電極の境界領域を区画する相互に隣り合う２つの前記第１主線の間に、前記第１副線と同形の電極線であるダミー線が配置され、前記ダミー線は、前記２つの第１主線の少なくとも一方と絶縁されていることが好ましい。
【００２５】
上記構成によれば、隣接する第１電極の間にも、第１副線と同じ形状を有する電極線が配置されているため、複数の第１電極が配置された領域内にて光の透過量に偏りが生じることが抑えられ、タッチセンサ用電極を備えるタッチパネルの外観についての均質性が高められる。
【発明の効果】
【００２６】
本発明によれば、電極線の断線によるフローティング部の発生を抑えることができる。
【図面の簡単な説明】
【００２７】
【図１】本発明を具体化した一実施形態における表示装置の断面構造を示す断面図である。
【図２】一実施形態におけるタッチセンサ用電極の平面構造を示す平面図である。
【図３】一実施形態におけるタッチパネルの電気的構成を説明するための模式図である。
【図４】一実施形態におけるドライブ電極の一部分の平面構造を示す部分平面図である。
【図５】一実施形態のドライブ電極におけるドライブ主線とドライブ副線との接続部分の例を拡大して示す部分平面図である。
【図６】一実施形態のドライブ電極におけるドライブ副線の配置の一例を示す模式図である。
【図７】一実施形態のドライブ電極におけるドライブ副線の配置の一例を示す模式図である。
【図８】一実施形態におけるセンシング電極の一部分の平面構造を示す部分平面図である。
【図９】一実施形態におけるタッチセンサ用電極の一部分の平面構造を示す平面図であって、ドライブ電極線の位置とセンシング電極線の位置との関係を示す図である。
【図１０】変形例におけるドライブ電極の一部分の平面構造を示す部分平面図である。
【図１１】変形例における表示装置の断面構造を示す断面図である。
【図１２】変形例における表示装置の断面構造を示す断面図である。
【発明を実施するための形態】
【００２８】
図１から図９を参照して、一実施形態のタッチセンサ用電極、タッチパネル、および、表示装置について説明する。
【００２９】
［表示装置の構成］
図１を参照して、表示装置の構成について説明する。
図１が示すように、表示装置１００は、例えば、液晶パネルである表示パネル１０と、タッチパネル２０とが、図示しない１つの透明接着層によって貼り合わされた積層体であり、タッチパネル２０を駆動するための回路やタッチパネル２０の駆動を制御する制御部を備えている。なお、表示パネル１０とタッチパネル２０との相対的な位置が筐体などの他の構成によって固定される前提であれば、上記透明接着層は割愛されてもよい。
表示パネル１０の表面には、矩形形状に形成された表示面が区画され、表示面には、外部からの画像データに基づく画像などの情報が表示される。
【００３０】
表示パネル１０を構成する構成要素は、タッチパネル２０から遠い構成要素から順番に、以下のように並んでいる。すなわち、タッチパネル２０から遠い順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。
【００３１】
これらのうち、ＴＦＴ層１３には、サブ画素を構成する画素電極がマトリクス状に位置している。また、カラーフィルタ層１５が有するブラックマトリクスは、矩形形状を有した複数の単位格子から構成される格子形状を有している。そして、ブラックマトリクスは、こうした格子形状によって、サブ画素の各々と向かい合う矩形形状を有する複数の領域を区画し、ブラックマトリクスの区画する各領域には、白色光を赤色、緑色、および、青色のいずれかの色の光に変える着色層が位置している。
【００３２】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５が割愛されてもよい。この際に、ＥＬパネルにおいて相互に隣り合う画素の境界部分は、ブラックマトリックスとして機能する。
【００３３】
タッチパネル２０は、静電容量式のタッチパネルであり、タッチセンサ用電極２１とカバー層２２とが透明接着層２３によって貼り合わされた積層体であって、表示パネル１０の表示する情報を透過する光透過性を有している。
【００３４】
詳細には、タッチパネル２０を構成する構成要素のなかで表示パネル１０に近い構成要素から順番に、透明基板３１、複数のドライブ電極３１ＤＰ、透明接着層３２、透明誘電体基板３３、複数のセンシング電極３３ＳＰ、透明接着層２３、カバー層２２が位置している。このうち、透明基板３１、ドライブ電極３１ＤＰ、透明接着層３２、透明誘電体基板３３、および、センシング電極３３ＳＰが、タッチセンサ用電極２１を構成している。
【００３５】
透明基板３１は、表示パネル１０に形成された表示面の全体に重ねられて、表示面が表示する画像などの情報を透過する光透過性を有している。透明基板３１は、例えば、透明ガラス基板や透明樹脂フィルムなどの基材から構成されて、１つの基材から構成される単層構造体であってもよいし、２つ以上の基材が重ねられた多層構造体であってもよい。
【００３６】
透明基板３１における表示パネル１０とは反対側の面は、ドライブ電極面３１Ｓとして設定され、ドライブ電極面３１Ｓには、複数のドライブ電極３１ＤＰが配置されている。複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。
【００３７】
透明接着層３２は、表示面に表示される画像などの情報を透過する光透過性を有し、透明接着層３２には、例えば、ポリエーテル系接着剤やアクリル系接着剤などが用いられる。
【００３８】
透明誘電体基板３３は、例えば、ポリエチレンテレフタラートなどの透明樹脂フィルムや透明ガラス基板などの基材から構成されて、１つの基材から構成される単層構造であってもよいし、２つ以上の基材が重ねられた多層構造であってもよい。透明誘電体基板３３は、表示面に表示される画像などの情報を透過する光透過性と、電極間における静電容量の検出に適した比誘電率とを有する。
【００３９】
複数のドライブ電極３１ＤＰが透明接着層３２によって透明誘電体基板３３に貼り合わされる結果、透明誘電体基板３３における透明基板３１と向かい合う面である裏面には、複数のドライブ電極３１ＤＰが並んでいる。
【００４０】
透明誘電体基板３３における透明接着層３２とは反対側の面である表面は、センシング電極面３３Ｓとして設定され、センシング電極面３３Ｓには、複数のセンシング電極３３ＳＰが配置されている。すなわち、透明誘電体基板３３は、複数のドライブ電極３１ＤＰと、複数のセンシング電極３３ＳＰとに挟まれている。複数のセンシング電極３３ＳＰ、および、センシング電極面３３Ｓにおいてセンシング電極３３ＳＰが位置しない部分は、１つの透明接着層２３によってカバー層２２に貼り合わされている。
【００４１】
透明接着層２３は、表示面に表示される画像などの情報を透過する光透過性を有し、透明接着層２３には、例えば、ポリエーテル系接着剤やアクリル系接着剤などが用いられる。
【００４２】
カバー層２２は、ガラス基板や樹脂フィルムなどによって形成され、カバー層２２における透明接着層２３とは反対側の面は、タッチパネル２０における表面であって操作面２０Ｓとして機能する。
【００４３】
なお、上記構成要素のうち、透明接着層２３は割愛されてもよい。透明接着層２３の省略される構成においては、カバー層２２が有する面のなかで透明誘電体基板３３と対向する面がセンシング電極面３３Ｓとして設定され、センシング電極面３３Ｓに形成される１つの薄膜のパターニングによって、複数のセンシング電極３３ＳＰが形成されればよい。
【００４４】
また、タッチパネル２０の製造に際しては、タッチセンサ用電極２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、透明基板３１として機能する他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層２３，３２によって貼り付けられる。
【００４５】
［タッチセンサ用電極の平面構造］
図２を参照して、ドライブ電極３１ＤＰとセンシング電極３３ＳＰとの位置関係を中心に、タッチセンサ用電極２１の平面構造について説明する。なお、図２は、透明誘電体基板３３の表面と対向する方向からタッチセンサ用電極２１を見た図であり、二点鎖線で囲まれた横方向に沿って延びる帯状領域の各々は、１つのドライブ電極３１ＤＰが配置される領域を示し、二点鎖線で囲まれた縦方向に沿って延びる帯状領域の各々は、１つのセンシング電極３３ＳＰが配置される領域を示している。なお、ドライブ電極３１ＤＰおよびセンシング電極３３ＳＰの数は簡略化して示している。
【００４６】
また、ドライブ電極３１ＤＰとセンシング電極３３ＳＰとの構成を理解しやすくするために、図２にて最も上側に位置するドライブ電極３１ＤＰについてのみ、ドライブ電極３１ＤＰを構成するドライブ電極線を細線で示し、図２にて最も左側に位置するセンシング電極３３ＳＰについてのみ、センシング電極３３ＳＰを構成するセンシング電極線を太線で示している。
【００４７】
図２が示すように、透明基板３１のドライブ電極面３１Ｓにおいて、複数のドライブ電極３１ＤＰの各々は、１つの方向である第１電極方向Ｄ１に沿って延びる帯形状を有し、かつ、第１電極方向Ｄ１と直交する第２電極方向Ｄ２に沿って並んでいる。各ドライブ電極３１ＤＰは、隣接する他のドライブ電極３１ＤＰと互いに絶縁されている。
【００４８】
各ドライブ電極３１ＤＰは、複数のドライブ電極線３１ＤＲの集合であるドライブ電極線群３１ＤＧから構成され、複数のドライブ電極線３１ＤＲには、ドライブ主線とドライブ副線とが含まれている。各ドライブ電極３１ＤＰの形成材料には、銅やアルミニウムなどの金属膜が用いられ、各ドライブ電極３１ＤＰは、例えば、エッチングによって金属膜がパターニングされることにより形成される。複数のドライブ電極３１ＤＰの各々は、ドライブパッド３１Ｐを介して個別にタッチパネル２０の周辺回路の一例である選択回路に接続され、選択回路が出力する駆動信号を受けることによって選択回路に選択される。
【００４９】
透明誘電体基板３３のセンシング電極面３３Ｓにおいて、複数のセンシング電極３３ＳＰの各々は、第２電極方向Ｄ２に沿って延びる帯形状を有し、かつ、第２電極方向Ｄ２と直交する第１電極方向Ｄ１に沿って並んでいる。各センシング電極３３ＳＰは、隣接する他のセンシング電極３３ＳＰと互いに絶縁されている。
【００５０】
各センシング電極３３ＳＰは、複数のセンシング電極線３３ＳＲの集合であるセンシング電極線群３３ＳＧから構成され、複数のセンシング電極線３３ＳＲには、センシング主線とセンシング副線とが含まれている。各センシング電極３３ＳＰの形成材料には、銅やアルミニウムなどの金属膜が用いられ、各センシング電極３３ＳＰは、例えば、エッチングによって金属膜がパターニングされることにより形成される。複数のセンシング電極３３ＳＰの各々は、センシングパッド３３Ｐを介して個別にタッチパネル２０の周辺回路の一例である検出回路に接続され、検出回路によって電流値を測定される。
【００５１】
透明誘電体基板３３の表面と対向する平面視において、ドライブ電極３１ＤＰとセンシング電極３３ＳＰとが相互に重なる部分は、図２の二点鎖線によって区画される四角形状を有した容量検出部ＮＤである。１つの容量検出部ＮＤは、１つのドライブ電極３１ＤＰと、１つのセンシング電極３３ＳＰとが立体的に交差する部分であって、タッチパネル２０において使用者の指などが触れている位置を検出することの可能な最小の単位である。
【００５２】
［タッチパネルの電気的構成］
図３を参照して、タッチパネル２０の電気的構成を、表示装置１００の備える制御部の機能とともに説明する。なお、以下では、静電容量式のタッチパネル２０の一例として、相互容量方式のタッチパネル２０における電気的構成を説明する。
【００５３】
図３が示すように、タッチパネル２０は、周辺回路として、選択回路３４および検出回路３５を備えている。選択回路３４は、複数のドライブ電極３１ＤＰに接続され、検出回路３５は、複数のセンシング電極３３ＳＰに接続され、表示装置１００の備える制御部３６は、選択回路３４と検出回路３５とに接続されている。
【００５４】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００５５】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００５６】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００５７】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００５８】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００５９】
制御部３６は、信号処理部３５ｂの出力した電圧信号に基づいて、タッチパネル２０において使用者の指などが触れている位置を検出し、検出した位置の情報を表示パネルの表示面に表示される情報の生成などの各種の処理に利用する。なお、タッチパネル２０は、上述した相互容量方式のタッチパネル２０に限らず、自己容量方式のタッチパネルであってもよい。
【００６０】
［ドライブ電極の構成］
図４から図７を参照してドライブ電極３１ＤＰの構成を説明する。図４においては、ドライブ電極３１ＤＰを構成する複数のドライブ電極線３１ＤＲの配置を説明する便宜上、ドライブ電極３１ＤＰにおいて１つの容量検出部ＮＤを構成する部分とその周囲とを拡大して示している。
【００６１】
図４が示すように、１つのドライブ電極３１ＤＰを構成するドライブ電極線群３１ＤＧが含むドライブ電極線３１ＤＲには、複数のドライブ主線３１ＭＬと、複数のドライブ副線３１ＳＬとが含まれている。
【００６２】
複数のドライブ主線３１ＭＬの各々は、複数の屈曲部３１Ｑを含む屈曲線形状を有する。複数のドライブ主線３１ＭＬの各々は、第２電極方向Ｄ２に沿って一定の隙間ＣＤを空けて並べられている。１つのドライブ電極線群３１ＤＧに含まれる複数のドライブ主線３１ＭＬの各々は、第１電極方向Ｄ１における一方の端部で他のドライブ主線３１ＭＬにおける一方の端部に接続され、かつ、第１電極方向Ｄ１における他方の端部でも他のドライブ主線３１ＭＬにおける他方の端部に接続され、これらの端部のうちの一方にてドライブパッド３１Ｐに接続されている。
【００６３】
複数のドライブ主線３１ＭＬの各々は、直線形状を有して相互に異なる傾きを有する２種類の短線部３１Ｅの集合であり、第１電極方向Ｄ１に沿って交互に繰り返される２種類の短線部３１Ｅと、２種類の短線部３１Ｅの連結される部分である屈曲部３１Ｑとを含んでいる。換言すれば、複数のドライブ主線３１ＭＬの各々は、複数の短線部３１Ｅが屈曲部３１Ｑを介して連なり、第１電極方向Ｄ１に沿って延びる折れ線形状を有する。
【００６４】
２種類の短線部３１Ｅの各々は、短線部３１Ｅの延びる方向に沿って長さＬ１を有している。２種類の短線部３１Ｅのうち、一方の短線部３１Ｅａは、第１電極方向Ｄ１に沿って延びる直線である基準線Ａ１に対して＋θ１度の傾きを有し、他方の短線部３１Ｅｂは、基準線Ａ１に対して−θ１度の傾きを有している。
【００６５】
短線部３１Ｅの長さＬ１は、下記式１の満たされる大きさであり、短線部３１Ｅにおける第１電極方向Ｄ１の成分の長さＬ１ｘが、第２電極方向Ｄ２におけるドライブ主線３１ＭＬ間のピッチＣＤｙと等しくなるように設定される。ピッチＣＤｙや、基準線Ａ１と短線部３１Ｅとのなす角度θ１は、表示装置１００に要求される位置検出の精度や表示パネル１０における画素幅などに応じて適宜設定される。
Ｌ１ｘ＝Ｌ１ｃｏｓθ１＝ＣＤｙ      ・・・  式１
【００６６】
複数のドライブ主線３１ＭＬの各々は、１つのドライブ主線３１ＭＬが第２電極方向Ｄ２に沿って並進された形状に形成され、複数のドライブ主線３１ＭＬにおいて、短線部３１Ｅａと短線部３１Ｅｂとの連結された部分である屈曲部３１Ｑは、第２電極方向Ｄ２に沿って延びる１つの直線上に並んでいる。
【００６７】
なお、１つのドライブ主線３１ＭＬにおいて、第１電極方向Ｄ１に沿って並ぶ屈曲部３１Ｑを結ぶ直線は、補助線Ｂ１、および、補助線Ｂ２として設定され、補助線Ｂ１と補助線Ｂ２とによって挟まれる領域は、屈曲領域Ｒ１として設定される。この際に、相互に隣り合うドライブ主線３１ＭＬの屈曲領域Ｒ１は、第２電極方向Ｄ２に沿って間隔を空けて並べられ、相互に重なることがないように、短線部３１Ｅの長さＬ１、ピッチＣＤｙ、および、角度θ１が設定されている。
【００６８】
相互に隣り合う屈曲領域Ｒ１が、第２電極方向Ｄ２において相互に重なる場合には、相互に隣り合う２つのドライブ電極３１ＤＰの境界領域で各ドライブ電極３１ＤＰに割り当てられた容量検出部ＮＤに重なりが生じるため、接触位置の検出の精度が低下する。この点で、相互に隣り合う屈曲領域Ｒ１が、第２電極方向Ｄ２に沿って間隔を空けて並べられる構成であれば、接触位置の検出の精度が低下することが抑えられる。
【００６９】
複数のドライブ副線３１ＳＬの各々は、１つのドライブ電極３１ＤＰ内において、互いに隣り合う２つのドライブ主線３１ＭＬを繋いでいる。詳細には、複数のドライブ副線３１ＳＬの各々は、１つのドライブ主線３１ＭＬにおける短線部３１Ｅから当該短線部３１Ｅの延びる方向に直線的に延びて、２つのドライブ主線３１ＭＬを繋いでいる。すなわち、１つのドライブ副線３１ＳＬは１つの短線部３１Ｅの延長線上に位置し、１つのドライブ副線３１ＳＬと１つの短線部３１Ｅとは１つの直線上に位置する。
【００７０】
ドライブ副線３１ＳＬは、２種類の短線部３１Ｅのうちのいずれから延びてもよく、複数のドライブ副線３１ＳＬのすべてが短線部３１Ｅａから延びてもよいし、複数のドライブ副線３１ＳＬのすべてが短線部３１Ｅｂから延びてもよいし、複数のドライブ副線３１ＳＬに、短線部３１Ｅａから延びるドライブ副線３１ＳＬと短線部３１Ｅｂから延びるドライブ副線３１ＳＬとが含まれてもよい。
【００７１】
ドライブ副線３１ＳＬは、基準線Ａ１に対して、そのドライブ副線３１ＳＬが延びる短線部３１Ｅと同一の傾きを有している。すなわち、ドライブ副線３１ＳＬが短線部３１Ｅａから延びる場合、そのドライブ副線３１ＳＬは、基準線Ａ１に対して＋θ１度の傾きを有し、ドライブ副線３１ＳＬが短線部３１Ｅｂから延びる場合、そのドライブ副線３１ＳＬは、基準線Ａ１に対して−θ１度の傾きを有する。
【００７２】
ここで、図５を参照して、ドライブ副線３１ＳＬが短線部３１Ｅの延長線上に配置されていることの利点について説明する。図５は、ドライブ主線３１ＭＬとドライブ副線３１ＳＬとの接続部分の拡大図である。
【００７３】
ドライブ電極３１ＤＰは微細な構造物である。そのため、図５が示すように、ドライブ主線３１ＭＬとドライブ副線３１ＳＬとの間に１８０度以外の角度が形成されると、ドライブ主線３１ＭＬとドライブ副線３１ＳＬとの接続部分における角を、２つの線分の交点から延びる２つの厳密な半直線で挟まれるような、幾何学的に精密な形状に加工することが困難である。結果として、ドライブ主線３１ＭＬとドライブ副線３１ＳＬとの接続部分は、丸みを帯びた角部として形成され、接続部分のうちで角度が形成されている部位が太くなりやすい。このように、ドライブ主線３１ＭＬとドライブ副線３１ＳＬとの接続部分にて電極線が太くなると、タッチパネル２０における光の透過量が低下し、表示装置１００において表示パネル１０が表示する情報の視認性の低下につながるため、電極線の太くなる箇所はできるだけ少ない方が好ましい。
【００７４】
ドライブ副線３１ＳＬが短線部３１Ｅの延長線上に配置されない構成では、図５にて矢印Ｆ１が示すように、ドライブ主線３１ＭＬとドライブ副線３１ＳＬとの接続部分のうちの４箇所すべてに、１８０度以外の角度が形成される。
【００７５】
一方、ドライブ副線３１ＳＬが短線部３１Ｅの延長線上に配置される構成では、図５にて矢印Ｆ２が示すように、ドライブ主線３１ＭＬとドライブ副線３１ＳＬとの接続部分のうち、１８０度以外の角度が形成される箇所は３箇所である。したがって、ドライブ副線３１ＳＬが短線部３１Ｅの延長線上に配置されない構成と比較して、電極線の太くなる箇所を少なくすることができるため、視認性の低下が抑えられる。
【００７６】
図４および図５を参照して説明したドライブ電極３１ＤＰの構成がもたらす作用について説明する。上述の構成によれば、１つのドライブ主線３１ＭＬ内にて、ドライブ副線３１ＳＬとの接続箇所を挟む２箇所で断線が生じたとしても、断線箇所に挟まれた部分の電極線は、ドライブ副線３１ＳＬによって、当該ドライブ主線３１ＭＬと隣接するドライブ主線３１ＭＬと繋がっているため、周囲から絶縁された状態とはならない。したがって、ドライブ副線３１ＳＬが全く設けられていない構成と比較して、電極線の断線によるフローティング部の発生が抑えられる。
【００７７】
ここで、図６および図７を参照して、ドライブ副線３１ＳＬの配置についての好ましい形態を説明する。なお、図６および図７は、１つのドライブ電極３１ＤＰを簡略化して示している。
【００７８】
上述のように、ドライブ電極線群３１ＤＧが含むドライブ電極線３１ＤＲに少なくとも１つのドライブ副線３１ＳＬが含まれていれば、ドライブ副線３１ＳＬが全く設けられていない構成と比較して、フローティング部の発生は抑えられるが、フローティング部の発生をより的確に抑えるためには、ドライブ副線３１ＳＬの数は多い方が好ましい。しかしながら、ドライブ副線３１ＳＬの増加は、タッチパネル２０における光の透過量を低下させ、表示装置１００において表示パネル１０が表示する情報の視認性の低下を招く。したがって、ドライブ副線３１ＳＬの配置は、フローティング部の発生の抑制と視認性の低下の抑制とのバランスを考慮して決定されることが好ましい。
【００７９】
図６が示すように、フローティング部の発生の抑制を重視する場合、１つのドライブ電極３１ＤＰにて１つの容量検出部ＮＤを構成する部分の各々において、複数のドライブ主線３１ＭＬの各々に接続されたドライブ副線３１ＳＬの数が１つであることが好ましい。こうした構成によれば、各ドライブ主線３１ＭＬについて、１つの容量検出部ＮＤに含まれる部分の全体がフローティング部となることが抑えられるため、容量検出部ＮＤ単位で接触位置の検出精度の低下が抑えられる。また、１つの容量検出部ＮＤを構成する部分にて、各ドライブ主線３１ＭＬが、複数のドライブ副線３１ＳＬと繋がっている構成と比較して、ドライブ副線３１ＳＬの数が必要以上に多くなることが抑えられるため、視認性の低下も抑えられる。
【００８０】
なお、１つの容量検出部ＮＤに含まれるドライブ主線３１ＭＬの数が奇数である場合、すべてのドライブ主線３１ＭＬがいずれかのドライブ副線３１ＳＬに接続される構成では、２つのドライブ副線３１ＳＬと接続されるドライブ主線３１ＭＬが必然的に生じる。こうした構成を考慮すると、１つの容量検出部ＮＤにて、互いに隣り合う２つのドライブ主線３１ＭＬから構成される主線の組であって、これら２つのドライブ主線３１ＭＬを繋ぐドライブ副線３１ＳＬの数が１つである組を主線組とするとき、１つの容量検出部ＮＤには複数の上記主線組が配置され、１つの容量検出部ＮＤに配置される複数のドライブ主線３１ＭＬの各々は、その容量検出部ＮＤ内にていずれかのドライブ副線３１ＳＬに接続されていることが好ましい。
【００８１】
一方、図７が示すように、視認性の低下の抑制を重視する場合、１つのドライブ電極３１ＤＰにおいて、複数のドライブ主線３１ＭＬの各々に接続されたドライブ副線３１ＳＬの数が１つであることが好ましい。こうした構成によれば、上述のように１つの容量検出部ＮＤを構成する部分にて、各ドライブ主線３１ＭＬが１つのドライブ副線３１ＳＬと繋がっている構成と比較して、ドライブ副線３１ＳＬの数が少なくなるため、視認性が向上する。また、複数のドライブ主線３１ＭＬのすべてが、各ドライブ主線３１ＭＬの全体のいずれかの箇所でドライブ副線３１ＳＬと繋がっているため、複数のドライブ主線３１ＭＬにドライブ副線３１ＳＬと繋がっていないドライブ主線３１ＭＬが含まれる場合と比較すると、フローティング部の発生が的確に抑えられる。
【００８２】
なお、１つのドライブ電極３１ＤＰに含まれるドライブ主線３１ＭＬの数が奇数である場合、すべてのドライブ主線３１ＭＬがいずれかのドライブ副線３１ＳＬに接続される構成では、２つのドライブ副線３１ＳＬと接続されるドライブ主線３１ＭＬが必然的に生じる。こうした構成を考慮すると、１つのドライブ電極３１ＤＰを構成するドライブ電極線群３１ＤＧにて、互いに隣り合う２つのドライブ主線３１ＭＬから構成される主線の組であって、これら２つのドライブ主線３１ＭＬを繋ぐドライブ副線３１ＳＬの数が１つである組を主線組とするとき、１つのドライブ電極線群３１ＤＧには複数の上記主線組が含まれ、１つのドライブ電極線群３１ＤＧに含まれる複数のドライブ主線３１ＭＬの各々は、いずれかのドライブ副線３１ＳＬに接続されていることが好ましい。
【００８３】
なお、視認性を高める観点では、ドライブ副線３１ＳＬの線幅は、ドライブ主線３１ＭＬの線幅よりも小さいことが好ましい。一方、ドライブ副線３１ＳＬの線幅がドライブ主線３１ＭＬの線幅と等しい構成では、ドライブ電極３１ＤＰの形成が容易となる。
また、ドライブ副線３１ＳＬの線幅がドライブ主線３１ＭＬの線幅より大きい構成では、ドライブ副線３１ＳＬの断線が起こりにくくなるため、ドライブ副線３１ＳＬによるフローティング部の発生の抑制が的確に実現される。例えば、ドライブ主線３１ＭＬの線幅を形成可能な範囲でできるだけ細くすると、表示パネル１０とタッチパネル２０とが重ねられた場合における干渉縞の発生の抑制が可能である一方、ドライブ主線３１ＭＬの断線は生じやすくなる。こうした構成において、ドライブ副線３１ＳＬの線幅をドライブ主線３１ＭＬの線幅よりも大きくすれば、フローティング部の発生を好適に抑制することができる。ドライブ副線３１ＳＬの線幅がドライブ主線３１ＭＬの線幅よりも大きい構成であっても、ドライブ副線３１ＳＬの密度が高くなりすぎないようにドライブ副線３１ＳＬを配置することによって、視認性が低下することは抑えられる。
【００８４】
［センシング電極の構成］
図８を参照してセンシング電極３３ＳＰの構成を説明する。図８においては、センシング電極３３ＳＰを構成する複数のセンシング電極線３３ＳＲの配置を説明する便宜上、センシング電極３３ＳＰにおいて１つの容量検出部ＮＤを構成する部分とその周囲とを拡大して示している。
【００８５】
図８が示すように、１つのセンシング電極３３ＳＰを構成するセンシング電極線群３３ＳＧが含むセンシング電極線３３ＳＲには、複数のセンシング主線３３ＭＬと、複数のセンシング副線３３ＳＬとが含まれている。センシング主線３３ＭＬは、ドライブ主線３１ＭＬと比較して、複数の電極線の各々の延びる方向と、複数の電極線の各々の並べられる方向とが異なる。
【００８６】
すなわち、複数のセンシング主線３３ＭＬの各々は、複数の屈曲部３３Ｑを含む屈曲線形状を有し、複数のセンシング主線３３ＭＬの各々は、第１電極方向Ｄ１に沿って一定の隙間ＣＳを空けて並べられている。１つのセンシング電極線群３３ＳＧに含まれる複数のセンシング主線３３ＭＬの各々は、第２電極方向Ｄ２における一方の端部で他のセンシング主線３３ＭＬにおける一方の端部に接続され、かつ、第２電極方向Ｄ２における他方の端部でも他のセンシング主線３３ＭＬにおける他の端部に接続され、これらの端部のうちの一方にてセンシングパッド３３Ｐに接続されている。
【００８７】
複数のセンシング主線３３ＭＬの各々は、直線形状を有して相互に異なる傾きを有する２種類の短線部３３Ｅの集合であり、第２電極方向Ｄ２に沿って交互に繰り返される２種類の短線部３３Ｅと、２種類の短線部３３Ｅの連結される部分である屈曲部３３Ｑとを含んでいる。換言すれば、複数のセンシング主線３３ＭＬの各々は、複数の短線部３３Ｅが屈曲部３３Ｑを介して連なり、第２電極方向Ｄ２に沿って延びる折れ線形状を有する。
【００８８】
２種類の短線部３３Ｅの各々は、短線部３３Ｅの延びる方向に沿って長さＬ２を有している。２種類の短線部３３Ｅのうち、一方の短線部３３Ｅａは、第２電極方向Ｄ２に沿って延びる直線である基準線Ａ２に対して＋θ２度の傾きを有し、他方の短線部３３Ｅｂは、基準線Ａ２に対して−θ２度の傾きを有している。
【００８９】
短線部３３Ｅの長さＬ２は、下記式２の満たされる大きさであり、短線部３３Ｅにおける第２電極方向Ｄ２の成分の長さＬ２ｙが、第１電極方向Ｄ１におけるセンシング主線３３ＭＬ間のピッチＣＳｘと等しくなるように設定される。ピッチＣＳｘや、基準線Ａ２と短線部３３Ｅとのなす角度θ２は、表示装置１００に要求される位置検出の精度や表示パネル１０における画素幅などに応じて適宜設定される。
Ｌ２ｙ＝Ｌ２ｃｏｓθ２＝ＣＳｘ      ・・・  式２
【００９０】
複数のセンシング主線３３ＭＬの各々は、１つのセンシング主線３３ＭＬが第１電極方向Ｄ１に沿って並進された形状に形成され、複数のセンシング主線３３ＭＬにおいて、短線部３３Ｅａと短線部３３Ｅｂとの連結された部分である屈曲部３３Ｑは、第１電極方向Ｄ１に沿って延びる１つの直線上に並んでいる。
【００９１】
なお、１つのセンシング主線３３ＭＬにおいて、第２電極方向Ｄ２に沿って並ぶ屈曲部３３Ｑを結ぶ直線は、補助線Ｂ３、および、補助線Ｂ４として設定され、補助線Ｂ３と補助線Ｂ４とによって挟まれる領域は、屈曲領域Ｒ２として設定される。この際に、相互に隣り合うセンシング主線３３ＭＬの屈曲領域Ｒ２は、第１電極方向Ｄ１に沿って間隔を空けて並べられ、相互に重なることがないように、短線部３３Ｅの長さＬ２、ピッチＣＳｘ、および、角度θ２が設定されている。こうした構成によれば、相互に隣り合う２つのセンシング電極３３ＳＰの境界領域で各センシング電極３３ＳＰに割り当てられた容量検出部ＮＤに重なりが生じないため、接触位置の検出精度の低下が抑えられる。
【００９２】
複数のセンシング副線３３ＳＬの各々は、１つのセンシング電極３３ＳＰ内において、互いに隣り合う２つのセンシング主線３３ＭＬを繋いでいる。詳細には、複数のセンシング副線３３ＳＬの各々は、１つのセンシング主線３３ＭＬにおける短線部３３Ｅから当該短線部３３Ｅの延びる方向に直線的に延びて、２つのセンシング主線３３ＭＬを繋いでいる。すなわち、１つのセンシング副線３３ＳＬは１つの短線部３３Ｅの延長線上に位置し、１つのセンシング副線３３ＳＬと１つの短線部３３Ｅとは１つの直線上に位置する。
【００９３】
センシング副線３３ＳＬは、２種類の短線部３３Ｅのうちのいずれから延びてもよく、複数のセンシング副線３３ＳＬのすべてが短線部３３Ｅａから延びてもよいし、複数のセンシング副線３３ＳＬのすべてが短線部３３Ｅｂから延びてもよいし、複数のセンシング副線３３ＳＬに、短線部３３Ｅａから延びるセンシング副線３３ＳＬと短線部３３Ｅｂから延びるセンシング副線３３ＳＬとが含まれてもよい。
【００９４】
センシング副線３３ＳＬは、基準線Ａ２に対して、そのセンシング副線３３ＳＬが延びる短線部３３Ｅと同一の傾きを有している。すなわち、センシング副線３３ＳＬが短線部３３Ｅａから延びる場合、そのセンシング副線３３ＳＬは、基準線Ａ２に対して＋θ２度の傾きを有し、センシング副線３３ＳＬが短線部３３Ｅｂから延びる場合、そのセンシング副線３３ＳＬは、基準線Ａ２に対して−θ２度の傾きを有する。
【００９５】
センシング電極３３ＳＰにおいても、センシング副線３３ＳＬが短線部３３Ｅの延長線上に配置されているため、電極線の太くなる箇所を少なくすることができる。
【００９６】
図８を参照して説明したセンシング電極３３ＳＰの構成によれば、ドライブ電極３１ＤＰの場合と同様に、１つのセンシング主線３３ＭＬ内にて、センシング副線３３ＳＬとの接続箇所を挟む２箇所で断線が生じたとしても、断線箇所に挟まれた部分の電極線は、センシング副線３３ＳＬによって、当該センシング主線３３ＭＬと隣接するセンシング主線３３ＭＬと繋がっているため、周囲から絶縁された状態とはならない。したがって、センシング副線３３ＳＬが全く設けられていない構成と比較して、電極線の断線によるフローティング部の発生が抑えられる。
【００９７】
ここで、センシング副線３３ＳＬの配置についても、ドライブ副線３１ＳＬの配置と同様に、フローティング部の発生の抑制と視認性の低下の抑制とのバランスを考慮して決定されることが好ましい。すなわち、フローティング部の発生の抑制を重視する場合、１つのセンシング電極３３ＳＰにて１つの容量検出部ＮＤを構成する部分の各々において、互いに隣り合う２つのセンシング主線３３ＭＬから構成される主線の組であって、これら２つのセンシング主線３３ＭＬを繋ぐセンシング副線３３ＳＬの数が１つである組を主線組とするとき、１つの容量検出部ＮＤには複数の上記主線組が配置され、１つの容量検出部ＮＤに配置される複数のセンシング主線３３ＭＬの各々は、その容量検出部ＮＤ内にていずれかのセンシング副線３３ＳＬに接続されていることが好ましい。
【００９８】
一方、視認性の低下の抑制を重視する場合、１つのセンシング電極３３ＳＰを構成するセンシング電極線群３３ＳＧにて、互いに隣り合う２つのセンシング主線３３ＭＬから構成される主線の組であって、これら２つのセンシング主線３３ＭＬを繋ぐセンシング副線３３ＳＬの数が１つである組を主線組とするとき、１つのセンシング電極線群３３ＳＧには複数の上記主線組が含まれ、１つのセンシング電極線群３３ＳＧに含まれる複数のセンシング主線３３ＭＬの各々は、いずれかのセンシング副線３３ＳＬに接続されていることが好ましい。
【００９９】
また、視認性を高める観点では、センシング副線３３ＳＬの線幅は、センシング主線３３ＭＬの線幅よりも小さいことが好ましい。一方、センシング副線３３ＳＬの線幅がセンシング主線３３ＭＬの線幅と等しい構成では、センシング電極３３ＳＰの形成が容易となり、センシング副線３３ＳＬの線幅がセンシング主線３３ＭＬの線幅より大きい構成では、センシング副線３３ＳＬの断線が起こりにくくなる。
【０１００】
［タッチセンサ用電極の詳細構造］
図９を参照して、ドライブ電極線３１ＤＲとセンシング電極線３３ＳＲとの位置関係を中心に、タッチセンサ用電極２１の詳細構造について説明する。なお、図９は、透明誘電体基板３３の表面と対向する方向から、タッチセンサ用電極２１にて１つの容量検出部ＮＤを構成する部分とその周囲を拡大して見た図であり、ドライブ電極線３１ＤＲが白抜き太線によって示され、センシング電極３３ＳＲ線が黒太線によって示されている。
【０１０１】
図９が示すように、透明誘電体基板３３の表面と対向する方向から見て、ドライブ主線３１ＭＬにおける複数の屈曲部３１Ｑの各々は、いずれのセンシング主線３３ＭＬとも重ならない位置に配置され、相互に隣り合う２本のセンシング主線３３ＭＬの間の隙間ＣＳと対向している。また、透明誘電体基板３３の表面と対向する方向から見て、センシング主線３３ＭＬにおける複数の屈曲部３３Ｑの各々は、いずれのドライブ主線３１ＭＬとも重ならない位置に配置され、相互に隣り合う２本のドライブ主線３１ＭＬの間の隙間ＣＤと対向している。
【０１０２】
すなわち、透明誘電体基板３３の表面と対向する方向から見て、ドライブ主線３１ＭＬとセンシング主線３３ＭＬとは、一方の電極の主線における屈曲部が、他方の電極の主線と重ならない位置に配置されている。なお、透明誘電体基板３３の表面と対向する方向から見て、ドライブ主線３１ＭＬにおける複数の屈曲部３１Ｑの一部は、センシング副線３３ＳＬと重なっていてもよいし、センシング主線３３ＭＬにおける複数の屈曲部３３Ｑの一部は、ドライブ副線３１ＳＬと重なっていてもよい。
【０１０３】
また、透明誘電体基板３３の表面と対向する方向から見て、複数のドライブ主線３１ＭＬの各々と、複数のセンシング主線３３ＭＬの各々とは、ドライブ主線３１ＭＬにおける短線部３１Ｅと、センシング主線３３ＭＬにおける短線部３３Ｅとにおいて重なっている。そして、透明誘電体基板３３の表面と対向する方向から見て、相互に隣り合う２本のドライブ主線３１ＭＬと、相互に隣り合う２本のセンシング主線３３ＭＬとによって、内角に優角や鈍角を有する八角形が形成され、複数のドライブ主線３１ＭＬと複数のセンシング主線３３ＭＬとによって、４種類の八角形が第１電極方向Ｄ１と第２電極方向Ｄ２とに沿って並ぶ電極パターンが形成されている。
【０１０４】
透明誘電体基板３３の表面と対向する方向から見て、ドライブ副線３１ＳＬは、センシング主線３３ＭＬやセンシング副線３３ＳＬと重なってもよいし、重ならなくてもよい。同様に、透明誘電体基板３３の表面と対向する方向から見て、センシング副線３３ＳＬは、ドライブ主線３１ＭＬやドライブ副線３１ＳＬと重なってもよいし、重ならなくてもよい。
【０１０５】
こうした構成を有するタッチセンサ用電極２１のもたらす作用について説明する。
上記構成においては、４種類の八角形が第１電極方向Ｄ１と第２電極方向Ｄ２とに沿って並ぶ電極パターンが形成されているため、矩形がマトリクス状に並べられた電極パターンと比較して、電極パターンの規則性にゆらぎが生じる。詳細には、矩形がマトリクス状に並べられた電極パターンと比較して、電極パターンを構成する多角形の頂点が１つの直線上に並ぶことが抑えられるため、第１電極方向Ｄ１および第２電極方向Ｄ２の双方にて、電極パターンの規則性が低くなる。
【０１０６】
ここで、第１電極方向Ｄ１および第２電極方向Ｄ２に沿って矩形が並ぶ電極パターンと、第１電極方向Ｄ１および第２電極方向Ｄ２に沿って矩形が並ぶ画素パターンに従った格子形状を有するブラックマトリクスとが重ねられる場合には、規則性の高いパターン同士が重なることによって、その周期のずれに起因した干渉縞が生じる。これに対し、本実施形態のタッチセンサ用電極２１にて形成される電極パターンであれば、電極パターンの規則性が低いため、表示パネル１０とタッチパネル２０とが重ねられた場合における干渉縞の発生が抑えられる。
【０１０７】
詳細には、本実施形態の電極パターンでは、主線３１ＭＬ，３３ＭＬが屈曲線形状を有することによって、１本の主線３１ＭＬ，３３ＭＬの占める領域は、電極線の並ぶ方向において屈曲領域Ｒ１もしくは屈曲領域Ｒ２に広げられる。それゆえに、表示パネル１０とタッチパネル２０とが重ねられた場合には、表示パネル１０の画素パターンとタッチパネル２０の電極パターンとによって形成されるパターンの輪郭が不鮮明となり、結果として、干渉縞の発生が抑えられる。
【０１０８】
また、副線３１ＳＬ，３３ＳＬが主線３１ＭＬ，３３ＭＬにおける短線部３１Ｅ，３３Ｅの延長線上に配置されているため、副線３１ＳＬ，３３ＳＬが基準線Ａ１，Ａ２に対して短線部３１Ｅ，３３Ｅと異なる角度を有する構成と比較して、複数の副線３１ＳＬ，３３ＳＬが、主線３１ＭＬ，３３ＭＬから構成されるパターンに、電極線の延びる方向について新たな成分を追加することが抑えられる。その結果、副線３１ＳＬ，３３ＳＬの存在が表示パネル１０の画素パターンとタッチパネル２０の電極パターンとによって形成されるパターンに新たな周期のパターンを加えて干渉縞の発生を誘起することが抑制される。
【０１０９】
また、タッチセンサ用電極２１にて形成される電極パターンの規則性が高くないため、タッチセンサ用電極２１の製造に際して、ドライブ電極３１ＤＰとセンシング電極３３ＳＰとの位置のずれが生じたとしても、この位置のずれが干渉縞の発生を抑制する効果に与える影響は少ない。したがって、タッチセンサ用電極２１の製造に際してこれらの電極の位置合わせに高い精度が必要とされないため、タッチセンサ用電極２１の製造、ひいては、タッチパネル２０や表示装置１００の製造が容易にもなる。
【０１１０】
このように、本実施形態では、干渉縞の発生を抑えることの可能な電極パターンにて、さらに、断線によるフローティング部の発生を抑えることが可能となる。その結果、接触位置の検出精度の低下の抑制や、タッチセンサ用電極２１の歩留まりの向上による製造コストの低減が可能となる。
【０１１１】
なお、干渉縞の発生を抑える観点では、透明誘電体基板３３の表面と対向する方向から見て、複数のドライブ電極３１ＤＰが配置される領域、すなわち、操作面２０Ｓにて操作を受け付ける部分の下方に配置される領域にて、複数のドライブ副線３１ＳＬは不規則に配置されていることが好ましい。こうした構成によれば、複数のドライブ副線３１ＳＬが規則的に配置されている構成と比較して、電極パターンの規則性をより低下させて干渉縞の発生を抑えることができる。同様に、干渉縞の発生を抑える観点では、透明誘電体基板３３の表面と対向する方向から見て、複数のセンシング電極３３ＳＰが配置される領域、すなわち、操作面２０Ｓにて操作を受け付ける部分の下方に配置される領域にて、複数のセンシング副線３３ＳＬは不規則に配置されていることが好ましい。
【０１１２】
一方、透明誘電体基板３３の表面と対向する方向から見て、複数のドライブ電極３１ＤＰが配置される領域にて、複数のドライブ副線３１ＳＬが規則的に配置されていると、操作面２０Ｓ内の位置によって光の透過量に偏りが生じることが抑えられるため、操作面２０Ｓの外観についての均質性が高められる。同様に、透明誘電体基板３３の表面と対向する方向から見て、複数のセンシング電極３３ＳＰが配置される領域にて、複数のセンシング副線３３ＳＬが規則的に配置されていると、操作面２０Ｓ内の位置によって光の透過量に偏りが生じることが抑えられるため、操作面２０Ｓの外観についての均質性が高められる。
【０１１３】
１つの容量検出部ＮＤを構成する部分において、複数の主線３１ＭＬ，３３ＭＬの各々が１つの副線３１ＳＬ，３３ＳＬと繋がっている場合のように、副線３１ＳＬ，３３ＳＬの数が比較的多い場合には、副線３１ＳＬ，３３ＳＬは不規則に配置されることが好ましい。一方、１つの電極３１ＤＰ，３３ＳＰにおいて、複数の主線３１ＭＬ，３３ＭＬの各々が１つの副線３１ＳＬ，３３ＳＬと繋がっている場合のように、副線３１ＳＬ，３３ＳＬの数が比較的少ない場合には、副線３１ＳＬ，３３ＳＬは規則的に配置されることが好ましい。
【０１１４】
なお、図９では、ドライブ電極３１ＤＰとセンシング電極３３ＳＰとにおいて、短線部３１Ｅの長さＬ１は短線部３３Ｅの長さＬ２と等しく、ピッチＣＤｙはピッチＣＳｘと等しく、角度θ１は角度θ２と等しく設定されている。これに代えて、短線部３１Ｅの長さＬ１は短線部３３Ｅの長さＬ２と異なってもよいし、ピッチＣＤｙはピッチＣＳｘと異なってもよいし、角度θ１は角度θ２と異なっていてもよい。すなわち、複数のドライブ主線３１ＭＬから形成されるパターンと、複数のセンシング主線３３ＭＬから形成されるパターンとは、電極線の延びる方向を除いて同一のパターンであってもよいし、同一のパターンでなくてもよい。
【０１１５】
また、ドライブ電極３１ＤＰにおける複数のドライブ副線３１ＳＬの線幅や配置パターンと、センシング電極３３ＳＰにおける複数のセンシング副線３３ＳＬの線幅や配置パターンとは、同一であってもよいし、同一でなくてもよい。すなわち、複数のドライブ副線３１ＳＬから形成されるパターンと、複数のセンシング副線３３ＳＬから形成されるパターンとは、同一のパターンであってもよいし、同一のパターンでなくてもよい。
【０１１６】
ドライブ電極３１ＤＰとセンシング電極３３ＳＰとにおいて、主線３１ＭＬ，３３ＭＬから形成されるパターンや副線３１ＳＬ，３３ＳＬから形成されるパターンが異なると、電極パターンの規則性をより低下させることができる。一方、ドライブ電極３１ＤＰとセンシング電極３３ＳＰとにおいて、主線３１ＭＬ，３３ＭＬから形成されるパターンや副線３１ＳＬ，３３ＳＬから形成されるパターンが同一であれば、こうしたパターンの設計に要する負荷が軽減される。
【０１１７】
なお、上記実施形態においては、タッチセンサ用電極２１の平面構造について、透明誘電体基板３３の表面と対向する方向から見た場合の構成を説明したが、こうした構成は、透明誘電体基板３３の裏面と対向する方向から見た場合であっても同様である。
【０１１８】
上記実施形態において、透明誘電体基板３３は透明誘電体層の一例である。そして、透明誘電体基板３３の裏面を第１面とするとき、透明誘電体基板３３の表面が第２面であり、第１電極方向Ｄ１が第１方向であり、第２電極方向Ｄ２が第２方向であり、ドライブ電極３１ＤＰが第１電極であり、ドライブ電極線群３１ＤＧが第１電極線群であり、ドライブ主線３１ＭＬが第１主線であり、ドライブ副線３１ＳＬが第１副線であり、センシング電極３３ＳＰが第２電極であり、センシング主線３３ＭＬが第２主線である。また、透明誘電体基板３３の表面を第１面とするとき、透明誘電体基板３３の裏面が第２面であり、第２電極方向Ｄ２が第１方向であり、第１電極方向Ｄ１が第２方向であり、センシング電極３３ＳＰが第１電極であり、センシング電極線群３３ＳＧが第１電極線群であり、センシング主線３３ＭＬが第１主線であり、センシング副線３３ＳＬが第１副線であり、ドライブ電極３１ＤＰが第２電極であり、ドライブ主線３１ＭＬが第２主線である。
【０１１９】
以上説明したように、本実施形態によれば以下に列挙する効果が得られる。
（１）ドライブ電極３１ＤＰおよびセンシング電極３３ＳＰにおいて、屈曲線形状を有した複数の主線３１ＭＬ，３３ＭＬが、副線３１ＳＬ，３３ＳＬによって繋がれている。それゆえ、副線３１ＳＬ，３３ＳＬが全く設けられていない構成と比較して、干渉縞の発生を抑えることの可能な電極パターンにて電極線の断線によるフローティング部の発生が抑えられる。
【０１２０】
（２）ドライブ電極３１ＤＰおよびセンシング電極３３ＳＰにおいて、副線３１ＳＬ，３３ＳＬは、主線３１ＭＬ，３３ＭＬにおける短線部３１Ｅ，３３Ｅから当該短線部３１Ｅ，３３Ｅの延びる方向に直線的に延びて、２つの主線３１ＭＬ，３３ＭＬを繋いでいる。それゆえ、副線３１ＳＬ，３３ＳＬが短線部３１Ｅ，３３Ｅの延長線上に配置されていない構成と比較して、電極３１ＤＰ，３３ＳＰの加工精度が高められて、電極線の太くなる箇所を少なくすることができる。また、副線３１ＳＬ，３３ＳＬの延びる方向が、短線部３１Ｅ，３３Ｅの延びる方向と一致しているため、副線３１ＳＬ，３３ＳＬが、主線３１ＭＬ，３３ＭＬから構成されるパターンに、電極線の延びる方向について新たな成分を追加することが抑えられる。その結果、副線３１ＳＬ，３３ＳＬの存在が干渉縞の発生を誘起することが抑制される。
【０１２１】
（３）副線３１ＳＬ，３３ＳＬの線幅が主線３１ＭＬ，３３ＭＬの線幅と等しい構成では、ドライブ電極３１ＤＰおよびセンシング電極３３ＳＰの形成が容易である。
【０１２２】
（４）副線３１ＳＬ，３３ＳＬの線幅が主線３１ＭＬ，３３ＭＬの線幅よりも小さい構成では、副線３１ＳＬ，３３ＳＬの線幅が主線３１ＭＬ，３３ＭＬの線幅以上である構成と比較して、操作面２０Ｓから見て副線３１ＳＬ，３３ＳＬが目立たなくなるため、表示装置１００における情報の視認性が向上する。
（５）副線３１ＳＬ，３３ＳＬの線幅が主線３１ＭＬ，３３ＭＬの線幅よりも大きい構成では、副線３１ＳＬ，３３ＳＬに断線が生じ難くなるため、副線３１ＳＬ，３３ＳＬによるフローティング部の発生の抑制が的確に実現される。
【０１２３】
（６）ドライブ電極３１ＤＰおよびセンシング電極３３ＳＰが配置された領域において、複数の副線３１ＳＬ，３３ＳＬが不規則に配置されている構成では、タッチセンサ用電極２１にて形成されている電極パターンの規則性がより低下するため、干渉縞の発生がより抑えられる。
【０１２４】
（７）ドライブ電極３１ＤＰおよびセンシング電極３３ＳＰが配置された領域において、複数の副線３１ＳＬ，３３ＳＬが規則的に配置されている構成では、上記領域内にて光の透過量に偏りが生じることが抑えられ、タッチパネル２０の外観についての均質性が高められる。
【０１２５】
（８）１つの電極３１ＤＰ，３３ＳＰに、複数の主線組が含まれ、１つの電極線群３１ＤＧ，３３ＳＧに含まれる複数の主線３１ＭＬ，３３ＭＬの各々が、いずれかの副線３１ＳＬ，３３ＳＬに接続されている構成では、１つの容量検出部ＮＤを構成する部分にて、複数の主線３１ＭＬ，３３ＭＬの各々が１つの副線３１ＳＬ，３３ＳＬと繋がっている構成と比較して、副線３１ＳＬ，３３ＳＬの数が少なくなるため、表示装置１００における情報の視認性が向上する。また、複数の主線３１ＭＬ，３３ＭＬのすべてが、いずれかの箇所で副線３１ＳＬ，３３ＳＬと繋がっているため、副線３１ＳＬ，３３ＳＬと繋がっていない主線３１ＭＬ，３３ＭＬが存在する場合と比較すると、フローティング部の発生が的確に抑えられる。
【０１２６】
（９）透明誘電体基板３３の表面と対向する方向から見て、ドライブ電極３１ＤＰとセンシング電極３３ＳＰとが重なる領域に、複数の主線組が配置され、この領域に配置されている複数の主線３１ＭＬ，３３ＭＬの各々が、この領域内にていずれかの副線３１ＳＬ，３３ＳＬに接続されている構成では、各主線３１ＭＬ，３３ＭＬについて、１つの容量検出部ＮＤに含まれる部分の全体がフローティング部となることが抑えられるため、容量検出部ＮＤ単位で接触位置の検出精度の低下が抑えられる。また、１つの容量検出部ＮＤにおいて、各主線３１ＭＬ，３３ＭＬが、複数の副線３１ＳＬ，３３ＳＬと繋がっている構成と比較して、副線３１ＳＬ，３３ＳＬの数が必要以上に多くなることが抑えられるため、表示装置１００における視認性の低下も抑えられる。
【０１２７】
［変形例］
上記実施形態は、以下のように変更して実施することが可能である。
・図１０が示すように、相互に隣り合う２つのドライブ電極３１ＤＰの境界領域を区画する２つのドライブ主線３１ＭＬの間に、これら２つのドライブ主線３１ＭＬと絶縁された電極線であるダミー線３１ＹＬが配置されていてもよい。ダミー線３１ＹＬは、ドライブ副線３１ＳＬの形状と同じ形状、すなわち、同形に形成されている。詳細には、ダミー線３１ＹＬは、ドライブ副線３１ＳＬと同一の線幅を有し、基準線Ａ１に対してドライブ副線３１ＳＬと同一の角度をなし、絶縁を目的としてダミー線３１ＹＬとドライブ主線３１ＭＬとの間に設けられた隙間の分を除いてドライブ副線３１ＳＬと同一の長さを有している。そして、ダミー線３１ＹＬは、短線部３１Ｅの延長線上に配置されている。こうした構成によれば、隣接するドライブ電極３１ＤＰの間にも、ドライブ副線３１ＳＬと同様の電極線が配置されるため、操作面２０Ｓ内の位置によって光の透過量に偏りが生じることが抑えられ、タッチパネル２０の外観についての均質性が高められる。
【０１２８】
同様に、相互に隣り合う２つのセンシング電極３３ＳＰの境界領域を区画する２つのセンシング主線３３ＭＬの間に、これら２つのセンシング主線３３ＭＬと絶縁された電極線であって、センシング副線３３ＳＬと同形のダミー線が配置されていてもよい。こうした構成によっても、操作面２０Ｓ内の位置によって光の透過量に偏りが生じることが抑えられ、タッチパネル２０の外観についての均質性が高められる。
【０１２９】
なお、ダミー線は、ダミー線を挟んで配置されている２つの主線の少なくとも一方と絶縁されていればよく、ダミー線を挟んで配置されている２つの主線のいずれかと繋がっていてもよい。要は、２つのドライブ電極３１ＤＰの絶縁状態が維持されていればよい。
・１つの副線３１ＳＬ，３３ＳＬが、３以上の主線３１ＭＬ，３３ＭＬを繋いでいてもよい。
【０１３０】
・副線３１ＳＬ，３３ＳＬは、短線部３１Ｅ，３３Ｅの延長線上に配置されていなくてもよいし、曲線状であってもよい。副線３１ＳＬ，３３ＳＬの形状に関わらず、副線３１ＳＬ，３３ＳＬが、主線の並ぶ方向に沿って連続して並ぶ２以上の主線３１ＭＬ，３３ＭＬを繋ぐ構成であれば、上記（１）の効果は得られる。
【０１３１】
ただし、表示パネル１０の画素パターンにおける画素の配列方向と副線３１ＳＬ，３３ＳＬの延びる方向とが一致すると、副線３１ＳＬ，３３ＳＬから形成されるパターンと画素パターンとの重ね合わせによって干渉縞が発生しやすくなる。したがって、干渉縞の発生を抑えるためには、ドライブ副線３１ＳＬは、第２電極方向Ｄ２とは異なる方向に延びることが好ましく、センシング副線３３ＳＬは、第１電極方向Ｄ１とは異なる方向に延びることが好ましい。
【０１３２】
・ドライブ副線３１ＳＬとセンシング副線３３ＳＬとの形状や基準線Ａ１，Ａ２に対する角度は同一でなくてもよい。さらに、複数のドライブ電極３１ＤＰの間で、複数のドライブ副線３１ＳＬの形状や基準線Ａ１に対する角度は一定でなくてもよいし、１つのドライブ電極３１ＤＰのなかで、複数のドライブ副線３１ＳＬの形状や基準線Ａ１に対する角度は一定でなくてもよい。また、複数のセンシング電極３３ＳＰの間で、複数のセンシング副線３３ＳＬの形状や基準線Ａ２に対する角度は一定でなくてもよいし、１つのセンシング電極３３ＳＰのなかで、複数のセンシング副線３３ＳＬの形状や基準線Ａ２に対する角度は一定でなくてもよい。
【０１３３】
・ドライブ電極３１ＤＰを構成するドライブ電極線群３１ＤＧのみがドライブ副線３１ＳＬを有し、センシング電極３３ＳＰを構成するセンシング電極線群３３ＳＧはセンシング副線３３ＳＬを有していなくてもよい。あるいは、センシング電極３３ＳＰを構成するセンシング電極線群３３ＳＧのみがセンシング副線３３ＳＬを有し、ドライブ電極３１ＤＰを構成するドライブ電極線群３１ＤＧはドライブ副線３１ＳＬを有していなくてもよい。ドライブ電極３１ＤＰとセンシング電極３３ＳＰとの少なくとも一方が副線を有する構成であれば、これらの電極の双方が副線を有さない構成と比較して、電極線の断線によるフローティング部の発生が抑えられる。なお、フローティング部の発生が接触位置の検出精度に与える影響は、ドライブ電極３１ＤＰよりもセンシング電極３３ＳＰにおいて大きい。したがって、ドライブ電極３１ＤＰとセンシング電極３３ＳＰとのいずれか一方の電極が副線を有する構成としては、センシング電極３３ＳＰが副線を有する構成が好ましい。
【０１３４】
・複数のドライブ電極３１ＤＰに、ドライブ副線３１ＳＬを有さないドライブ電極線群３１ＤＧから構成されるドライブ電極３１ＤＰが含まれてもよい。また、複数のセンシング電極３３ＳＰに、センシング副線３３ＳＬを有さないセンシング電極線群３３ＳＧから構成されるセンシング電極３３ＳＰが含まれてもよい。こうした構成によっても、副線３１ＳＬ，３３ＳＬが全く設けられていない構成と比較して、電極線の断線によるフローティング部の発生は抑えられる。
【０１３５】
・ドライブ主線３１ＭＬにおいて、短線部３１Ｅの長さＬ１、ピッチＣＤｙ、角度θ１は、上記式１を満たす関係でなくてもよい。また、センシング主線３３ＭＬにおいて、短線部３３Ｅの長さＬ２、ピッチＣＳｘ、角度θ２は、上記式２を満たす関係でなくてもよい。また、複数のドライブ電極３１ＤＰの間で、短線部３１Ｅの長さＬ１、ピッチＣＤｙ、角度θ１はそれぞれ一定でなくてもよいし、１つのドライブ電極３１ＤＰに含まれる複数のドライブ主線３１ＭＬの間で、短線部３１Ｅの長さＬ１、ピッチＣＤｙ、角度θ１はそれぞれ一定でなくてもよいし、１つのドライブ主線３１ＭＬのなかで、短線部３１Ｅの長さＬ１や角度θ１は一定でなくてもよい。また、複数のセンシング電極３３ＳＰの間で、短線部３３Ｅの長さＬ２、ピッチＣＳｘ、角度θ２はそれぞれ一定でなくてもよいし、１つのセンシング電極３３ＳＰに含まれる複数のセンシング主線３３ＭＬの間で、短線部３３Ｅの長さＬ２、ピッチＣＳｘ、角度θ２はそれぞれ一定でなくてもよいし、１つのセンシング主線３３ＭＬのなかで、短線部３３Ｅの長さＬ２や角度θ２は一定でなくてもよい。
【０１３６】
また、透明誘電体基板３３の表面と対向する方向から見て、ドライブ主線３１ＭＬの有する屈曲部３１Ｑの一部は、センシング主線３３ＭＬと重なっていてもよいし、センシング主線３３ＭＬの有する屈曲部３３Ｑの一部は、ドライブ主線３１ＭＬと重なっていてもよい。
【０１３７】
要は、透明誘電体基板３３の表面と対向する方向から見て、一方の電極における主線の屈曲部の少なくとも一部が、他方の電極における主線間の隙間と対向する構成であればよい。また、透明誘電体基板３３の表面と対向する方向から見て、ドライブ主線３１ＭＬとセンシング主線３３ＭＬとによって形成されるパターンには、八角形に限らず、四角形とは異なる多角形が含まれればよい。
・主線３１ＭＬ，３３ＭＬは、短線部３１Ｅ，３３Ｅの組み合わせからなる屈曲線形状に限らず、屈曲部が曲率を有する曲線形状に形成されていてもよい。
【０１３８】
・複数のドライブ電極３１ＤＰが含むドライブ主線３１ＭＬには、直線形状を有する主線が含まれてもよい。また、複数のセンシング電極３３ＳＰが含むセンシング主線３３ＭＬには、直線形状を有する主線が含まれてもよい。要は、複数のドライブ電極３１ＤＰと複数のセンシング電極３３ＳＰのうち、少なくとも１つの電極が、屈曲線形状を有する主線と、２以上の主線を繋ぐ副線とを含む電極線群から構成されればよい。こうした条件を満たす電極線群が、第１電極線群である。
・第１電極方向Ｄ１と第２電極方向Ｄ２とは、直交せずとも、交差する方向であればよい。
【０１３９】
・図１１が示すように、タッチパネル２０を構成するタッチセンサ用電極２１において、透明基板３１および透明接着層３２が割愛されてもよい。こうした構成では、透明誘電体基板３３の面のなかで、表示パネル１０と対向する裏面がドライブ電極面３１Ｓとして設定され、ドライブ電極面３１Ｓには、ドライブ電極３１ＤＰが位置する。そして、透明誘電体基板３３における裏面と反対側の面である表面はセンシング電極面３３Ｓであって、センシング電極面３３Ｓには、センシング電極３３ＳＰが位置する。なお、こうした構成において、ドライブ電極３１ＤＰは、例えば、透明誘電体基板３３の一方の面に形成された１つの薄膜が、エッチングによってパターニングされることにより形成され、センシング電極３３ＳＰは、例えば、透明誘電体基板３３の他方の面に形成された１つの薄膜が、エッチングによってパターニングされることにより形成される。
【０１４０】
・図１２が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１４１】
こうした構成において、例えば、ドライブ電極３１ＤＰは、透明基板３１のドライブ電極面３１Ｓとなる１つの面に形成され、センシング電極３３ＳＰは、透明誘電体基板３３のセンシング電極面３３Ｓとなる１つの面に形成される。そして、透明基板３１においてドライブ電極面３１Ｓの反対側の面と、透明誘電体基板３３においてセンシング電極面３３Ｓの反対側の面とが、透明接着層３２によって接着される。この場合、透明基板３１、透明接着層３２、および、透明誘電体基板３３が、透明誘電体層を構成し、透明基板３１のドライブ電極面３１Ｓが、第１面および第２面の一方であり、透明誘電体基板３３のセンシング電極面３３Ｓが、第１面および第２面の他方である。
【０１４２】
・表示パネル１０とタッチパネル２０とは、個別に形成されていなくともよく、タッチパネル２０は、表示パネル１０と一体に形成されてもよい。こうした構成では、例えば、タッチセンサ用電極２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、タッチセンサ用電極２１がカラーフィルタ基板１６と上側偏光板１７との間に位置するオンセル型の構成でもよい。こうした構成においては、ドライブ電極３１ＤＰとセンシング電極３３ＳＰとに挟まれる層が、透明誘電体層を構成する。
【符号の説明】
【０１４３】
Ｄ１…第１電極方向、Ｄ２…第２電極方向、ＮＤ…容量検出部、１０…表示パネル、１１…下側偏光板、１２…薄膜トランジスタ基板、１３…ＴＦＴ層、１４…液晶層、１５…カラーフィルタ層、１６…カラーフィルタ基板、１７…上側偏光板、２０…タッチパネル、２１…タッチセンサ用電極、２２…カバー層、２３…透明接着層、３１…透明基板、３１ＤＰ…ドライブ電極、３１ＤＧ…ドライブ電極線群、３１ＭＬ…ドライブ主線、３１ＳＬ…ドライブ副線、３１Ｓ…ドライブ電極面、３１Ｅ…短線部、３１Ｑ…屈曲部、３１ＹＬ…ダミー線、３３…透明誘電体基板、３３ＳＰ…センシング電極、３３ＳＧ…センシング電極線群、３３Ｓ…センシング電極面、３３ＭＬ…センシング主線、３３ＳＬ…センシング副線、３３Ｅ…短線部、３３Ｑ…屈曲部、３４…選択回路、３５…検出回路、３６…制御部、１００…表示装置。
【図１】
2016126730.tif 000003
【図２】
2016126730.tif 000004
【図３】
2016126730.tif 000005
【図４】
2016126730.tif 000006
【図５】
2016126730.tif 000007
【図６】
2016126730.tif 000008
【図７】
2016126730.tif 000009
【図８】
2016126730.tif 000010
【図９】
2016126730.tif 000011
【図１０】
2016126730.tif 000012
【図１１】
2016126730.tif 000013
【図１２】
2016126730.tif 000014